(57)【要約】【課題】省エネルギー化を図ることができるエレベータ装置を得る。【解決手段】複数の行先階釦を有し、かご１内に設けられたかご操作盤１２と、操作された行先階釦に対応するかご呼び登録を行い、かご呼び登録にしたがってかご１を行先階に移動させるエレベータ制御装置３１と、かご１内の積載量を測定する重量測定装置１３とを備え、エレベータ制御装置３１は、かご１が上方向に移動する場合であって、重量測定装置１３により測定された積載量が予め設定された上限値よりも大きいの場合に、かご呼び登録を制限し、また、かご１が下方向に移動する場合であって、重量測定装置１３により測定された積載量が予め設定された値以下の場合に、かご呼び登録を制限する。【選択図】図１
2013227119.tif 000002
【特許請求の範囲】
【請求項１】
複数の行先階釦を有し、かご内に設けられたかご操作盤と、
操作された前記行先階釦に対応するかご呼び登録を行い、前記かご呼び登録にしたがって前記かごを行先階に移動させるエレベータ制御装置と、
前記かご内の積載量を測定する重量測定装置と
を備え、
前記エレベータ制御装置は、前記かごの移動する方向の情報と、前記重量測定装置の測定結果とに基づいて、前記かご呼び登録を制限することを特徴とするエレベータ装置。
【請求項２】
前記エレベータ制御装置は、前記かごが停止している停止階から予め設定された数だけスキップしたとびとびの階についてのみ前記かご呼び登録を可能にすることにより前記かご呼び登録を制限することを特徴とする請求項１に記載のエレベータ装置。
【請求項３】
前記エレベータ制御装置は、前記かごが上方向に移動する場合であって、前記重量測定装置により測定された前記積載量が予め設定された上限値よりも大きい場合に、前記かご呼び登録を制限することを特徴とする請求項１または請求項２に記載のエレベータ装置。
【請求項４】
前記エレベータ制御装置は、前記かごが下方向に移動する場合であって、前記重量測定装置により測定された前記積載量が予め設定された下限値よりも小さい場合に、前記かご呼び登録を制限することを特徴とする請求項１ないし請求項３の何れか１項に記載のエレベータ装置。
【請求項５】
複数の行先階釦を有し、かご内に設けられたかご操作盤と、操作された前記行先階釦に対応するかご呼び登録を行い、前記かご呼び登録にしたがって前記かごを行先階に移動させるエレベータ制御装置と、前記かご内の積載量を測定する重量測定装置とを備えたエレベータ装置を制御するエレベータ制御方法であって、
前記重量測定装置により前記かご内の積載量を測定する積載量測定工程と、
前記かごの移動する方向の情報と、前記積載量測定工程で測定された測定結果とに基づいて、前記エレベータ制御装置が前記かご呼び登録を制限するかご呼び登録制限工程と
を備えたことを特徴とするエレベータ制御方法。
【発明の詳細な説明】
【技術分野】
【０００１】
この発明は、操作された行先階釦に対応するかご呼び登録を行うエレベータ装置およびエレベータ制御方法に関する。
【背景技術】
【０００２】
従来、複数の行先階釦を有し、かご内に設けられたかご操作盤と、操作された行先階釦に対応するかご呼び登録を行い、かご呼び登録にしたがってかごを行先階に移動させるエレベータ制御装置とを備えたエレベータ装置が知られている（例えば、特許文献１参照）。
【先行技術文献】
【特許文献】
【０００３】
【特許文献１】特開２００５−１４５６３６号公報
【発明の概要】
【発明が解決しようとする課題】
【０００４】
しかしながら、複数の利用者がかご内に乗り込み、それぞれの利用者が別々の行先階釦を操作すると、操作された行先階釦に対応する行先階のそれぞれに停止する。その結果、かごの停止および昇降の繰り返しの回数が多くなり、エレベータ装置が消費するエネルギーが増大してしまうという問題点があった。
【０００５】
この発明は、省エネルギー化を図ることができるエレベータ装置およびエレベータ制御方法を提供するものである。
【課題を解決するための手段】
【０００６】
この発明に係るエレベータ装置は、複数の行先階釦を有し、かご内に設けられたかご操作盤と、操作された前記行先階釦に対応するかご呼び登録を行い、前記かご呼び登録にしたがって前記かごを行先階に移動させるエレベータ制御装置と、前記かご内の積載量を測定する重量測定装置とを備え、前記エレベータ制御装置は、前記かごの移動する方向の情報と、前記重量測定装置の測定結果とに基づいて、前記かご呼び登録を制限する。
【０００７】
この発明に係るエレベータ制御方法は、複数の行先階釦を有し、かご内に設けられたかご操作盤と、操作された前記行先階釦に対応するかご呼び登録を行い、前記かご呼び登録にしたがって前記かごを行先階に移動させるエレベータ制御装置と、前記かご内の積載量を測定する重量測定装置とを備えたエレベータ装置を制御するエレベータ制御方法であって、前記重量測定装置により前記かご内の積載量を測定する積載量測定工程と、前記かごの移動する方向の情報と、前記積載量測定工程で測定された測定結果とに基づいて、前記エレベータ制御装置が前記かご呼び登録を制限するかご呼び登録制限工程とを備えている。
【発明の効果】
【０００８】
この発明に係るエレベータ装置によれば、エレベータ制御装置は、かごの移動する方向の情報と、かご内の積載量を測定する重量測定装置の測定結果とに基づいて、かご呼び登録を制限するので、かごの停止および昇降の繰り返しの回数が低減される。その結果、エレベータ装置の省エネルギー化を図ることができる。
【０００９】
この発明に係るエレベータ制御方法によれば、重量測定装置によりかご内の積載量を測定する積載量測定工程と、かごの移動する方向の情報と、積載量測定工程で測定された測定結果とに基づいて、エレベータ制御装置がかご呼び登録を制限するかご呼び登録制限工程とを備えているので、かごの停止および昇降の繰り返しの回数が低減される。その結果、エレベータ装置の省エネルギー化を図ることができる。
【図面の簡単な説明】
【００１０】
【図１】この発明の実施の形態１に係るエレベータ装置を示すブロック図である。
【図２】図１の制御盤を示すブロック図である。
【図３】図１のエレベータ装置の動作を示すフローチャートである。
【図４】図１のエレベータ制御装置によりかご呼び登録が制限されるかご操作盤を示す状態変移図である。
【発明を実施するための形態】
【００１１】
実施の形態１．
図１はこの発明の実施の形態１に係るエレベータ装置を示すブロック図である。図において、エレベータ装置は、かご１と、かご１に接続されたロープ（図示せず）を移動させることによりかご１を昇降させる巻上機２と、巻上機２を制御する制御盤３とを備えている。
【００１２】
また、エレベータ装置は、ロープに接続された釣合い錘（図示せず）を備えている。釣合い錘の重量は、かご１の積載量が定格積載量の５０％の場合に、かご１と釣り合うようになっている。したがって、かご１が上方向に移動する場合では、かご１の積載量が定格積載量の５０％以下の場合に、かご１全体の重量が釣合い錘の重量よりも軽くなるので、巻上機２で消費される電力が小さくなり、かご１の積載量が定格積載量の５０％よりも大きい場合に、かご１全体の重量が釣合い錘の重量よりも重くなるので、巻上機２で消費される電力が大きくなる。また、かご１が下方向に移動する場合では、かご１の積載量が定格積載量の５０％以上の場合に、かご１全体の重量が釣合い錘の重量よりも重くなるので、巻上機２で消費される電力が小さくなり、かご１の積載量が定格積載量の５０％よりも小さい場合に、かご１全体の重量が釣合い錘の重量よりも軽くなるので、巻上機２で消費される電力が大きくなる。
【００１３】
かご１は、かご１内に設けられたディスプレイ（報知装置）１１と、かご１内に設けられたかご操作盤１２と、かご１内の積載量を測定する重量測定装置１３とを有している。
【００１４】
ディスプレイ１１は、制御盤３により制御されるようになっている。
【００１５】
かご操作盤１２は、各階に対応する行先階釦（図示せず）を有している。かご操作盤１２は、行先階釦が操作されることにより、操作された行先階釦を示す情報である行先階情報を制御盤３に送信する。
【００１６】
重量測定装置１３は、かご１が停止している場合に、かご１内の積載量を測定する。また、重量測定装置１３は、測定結果を示す情報である重量情報を制御盤３に送信する。
【００１７】
図２は図１の制御盤３を示すブロック図である。制御盤３は、かご呼び登録を行い、かご呼び登録にしたがってかご１を行先階に移動させるエレベータ制御装置３１と、ディスプレイ１１を制御するディスプレイ制御装置３２とを有している。
【００１８】
エレベータ制御装置３１は、かご操作盤１２から送信された行先階情報を受信する。また、エレベータ制御装置３１は、重量測定装置１３から送信された重量情報を受信する。
【００１９】
エレベータ制御装置３１には、かご１が上方向に移動する場合にかご１の積載量との大小を比較するための値である上限値が予め設定されている。また、エレベータ制御装置３１には、かご１が下方向に移動する場合に、かご１の積載量との大小を比較するための値である下限値が予め設定されている。エレベータ制御装置３１には、上限値として、かご１の定格積載量の５０％の値が設定されており、下限値としては、かご１の定格積載量の５０％の値が設定されている。なお、エレベータ制御装置３１に設定される上限値および下限値は、これらの値に限らず、任意の値に設定可能である。
【００２０】
エレベータ制御装置３１は、かご１の移動する方向の情報と重量情報とに基づいて、かご呼び登録を制限する。具体的には、エレベータ制御装置３１は、かご１が上方向に移動する場合であって、かご１の積載量が上限値よりも大きい場合には、かご呼び登録を制限する。また、エレベータ制御装置３１は、かご１が下方向に移動する場合であって、かご１の積載量が下限値よりも小さい場合には、かご呼び登録を制限する。
【００２１】
また、エレベータ制御装置３１は、かご呼び登録を制限する場合には、かご１が停止している停止階から予め設定された数だけスキップしたとびとび階についてのみかご呼び登録を可能にする。この例では、１階から１０階までの間でかご１が移動可能となっており、スキップする数として、２が設定されている。つまり、１階にかご１が停止している場合であって、かご呼び登録が制限されている場合には、４階、７階、１０階へのかご呼び登録が可能となる。なお、スキップする数は、任意の値に設定可能である。
【００２２】
エレベータ制御装置３１は、かご呼び登録を制限する場合に、かご呼び登録を制限する行先階を示す登録制限情報をディスプレイ制御装置３２に送信する。ディスプレイ制御装置３２は、エレベータ制御装置３１から登録制限情報を受信した場合に、受信した登録制限情報に基づいて、かご呼び登録が制限される旨およびかご呼び登録が制限される行先階の情報をディスプレイ１１に表示させる。これにより、かご１内の利用者に対して、かご呼び登録が制限される旨およびかご呼び登録が制限される行先階の情報を報知することができる。
【００２３】
次に、エレベータ装置の動作について説明する。図３は図１のエレベータ装置の動作を示すフローチャートである。図において、まず、エレベータ制御装置３１は、行先階情報を受信したか否か、つまり、かご操作盤１２の行先階釦が操作されたか否かを判定する（ステップＳ１０１）。ステップＳ１０１で、行先階釦が操作されていないとエレベータ制御装置３１が判定すると、ステップＳ１０１が繰り返される。
【００２４】
一方、ステップＳ１０１で、行先階釦が操作されたとエレベータ制御装置３１が判定すると、重量測定装置１３は、かご１の積載量を測定する（積載量測定工程）（ステップＳ１０２）。これにより、重量情報が重量測定装置１３からエレベータ制御装置３１に送信される。
【００２５】
その後、エレベータ制御装置３１は、かご１の移動方向が上方向であるか否かを判定する（ステップＳ１０３）。ステップＳ１０３で、かご１の移動方向が上方向であるとエレベータ制御装置３１が判定すると、エレベータ制御装置３１は、積載量が上限値よりも大きいか否かを判定する（ステップＳ１０４）。ステップＳ１０４で、積載量が上限値よりも大きくない、つまり、積載量が上限値以下であるとエレベータ制御装置３１が判定すると、エレベータ制御装置３１は、操作された行先階釦に対応するかご呼び登録を行う（ステップＳ１０５）。
【００２６】
一方、ステップＳ１０４で、積載量が上限値よりも大きいとエレベータ制御装置３１が判定すると、エレベータ制御装置３１は、かご呼び登録を制限する（かご呼び登録制限工程）（ステップＳ１０６）。
【００２７】
その後、エレベータ制御装置３１は、操作された行先階釦に対応する行先階がかご呼び登録が制限されている階であるか否かを判定する（制限判定工程）（ステップＳ１０７）。ステップＳ１０７で、操作された行先階釦に対応する行先階がかご呼び登録が制限されている階ではないとエレベータ制御装置３１が判定すると、ステップＳ１０５に進む。一方、ステップＳ１０７で、操作された行先階釦に対応する行先階がかご呼び登録が制限されている階であるとエレベータ制御装置３１が判定すると、エレベータ制御装置３１はかご呼び登録を行わない。
【００２８】
一方、ステップＳ１０３で、かご１の移動方向が上方向ではないとエレベータ制御装置３１が判定すると、エレベータ制御装置３１は、かご１の移動方向が下方向であると判定し、さらに、積載量が下限値よりも小さいか否かを判定する（ステップＳ１０８）。ステップＳ１０８で、積載量が下限値よりも小さくない、つまり、積載量が下限値以上であるとエレベータ制御装置３１が判定すると、エレベータ制御装置３１は、操作された行先階釦に対応するかご呼び登録を行う（ステップＳ１０９）。
【００２９】
一方、ステップＳ１０８で、積載量が下限値よりも小さいとエレベータ制御装置３１が判定すると、ステップＳ１０６に進む。
【００３０】
次に、エレベータ制御装置３１によりかご呼び登録が制限されるかご操作盤１２の状態変移について説明する。図４は図１のエレベータ制御装置３１によりかご呼び登録が制限されるかご操作盤１２を示す状態変移図である。図４では、かご呼び登録が可能な行先階釦を太い線で示している。また、図４では、かご呼び登録が行われた行先階釦を斜線で示している。
【００３１】
この例では、かご１が上方向に移動する例について説明するが、かご１が下方向に移動する場合も同様である。図において、まず、かご１が１階に停止し、かご１内に利用者がいない場合には、（ａ）に示すように、２階から１０階までの全ての階へのかご呼び登録が可能となる。
【００３２】
その後、かご１内に利用者が乗り込み、１０階に対応する行先階釦を操作すると、（ｂ）に示すように、１０階へのかご呼び登録がされる。
【００３３】
その後、かご１内に利用者がさらに乗り込み、かご１内の積載量が上限値を超えると、（ｃ）に示すように、かご呼び登録が制限され、４階および７階のみが新たなかご呼びとして登録が可能となる。この状態で、７階に対応する行先階釦が操作されると、（ｄ）に示すように、７階へのかご呼び登録がされる。
【００３４】
その後、かご１が７階に到着すると、（ｅ）に示すように、７階へのかご呼び登録が解消される。この状態で、利用者がかご１から降り、かご１内の積載量が上限値以下となると、（ｆ）に示すように、かご呼び登録の制限が解除され、８階および９階へのかご呼び登録が可能となる。
【００３５】
以上説明したように、この発明の実施の形態１に係るエレベータ装置によれば、エレベータ制御装置３１は、かご１の移動する方向の情報と、かご１内の積載量を測定する重量測定装置１３の測定結果とに基づいて、かご呼び登録を制限するので、かご１の停止および昇降の繰り返しの回数が低減される。その結果、エレベータ装置の省エネルギー化を図ることができる。
【００３６】
また、エレベータ制御装置３１は、かご１が停止している停止階から予め設定された数だけスキップしたとびとびの階についてのみかご呼び登録を可能にすることによりかご呼び登録を制限するので、かご１の停止および昇降の繰り返しの回数が低減されるとともに、利用者の行先階または行先階の近くの階にかご１を移動させることができる。
【００３７】
また、エレベータ制御装置３１は、かご１が上方向に移動する場合であって、重量測定装置１３により測定された積載量が予め設定された上限値よりも大きい場合に、かご呼び登録を制限するので、エレベータ装置が消費するエネルギーが大きい場合に限って、かご呼び登録を制限して、効果的に省エネルギー化を図ることができる。
【００３８】
また、エレベータ制御装置３１は、かご１が下方向に移動する場合であって、重量測定装置１３により測定された積載量が予め設定された下限値よりも小さい場合に、かご呼び登録を制限するので、エレベータ装置が消費するエネルギーが大きい場合に限って、かご呼び登録を制限して、効果的に省エネルギー化を図ることができる。
【００３９】
また、この発明の実施の形態１に係るエレベータ制御方法によれば、重量測定装置１３によりかご１内の積載量を測定する積載量測定工程と、かご１の移動する方向の情報と、積載量測定工程で測定された測定結果とに基づいて、エレベータ制御装置３１がかご呼び登録を制限するかご呼び登録制限工程とを備えているので、かご１の停止および昇降の繰り返しの回数が低減される。その結果、エレベータ装置の省エネルギー化を図ることができる。
【００４０】
なお、上記実施の形態１では、報知装置として、かご１内に設けられたディスプレイ１１を例に説明したが、例えば、かご１内に設けられたスピーカであってもよい。
【符号の説明】
【００４１】
１  かご、２  巻上機、３  制御盤、１１  ディスプレイ（報知装置）、１２  かご操作盤、１３  重量測定装置、３１  エレベータ制御装置、３２  ディスプレイ制御装置。
【図１】
2013227119.tif 000003
【図２】
2013227119.tif 000004
【図３】
2013227119.tif 000005
【図４】
2013227119.tif 000006